(57)【特許請求の範囲】
【請求項１】
商品収納ラックを収設した断熱筐体としてなるキャビネットの庫内前面を覆って前面外扉の裏面側に配した断熱内扉であって、該断熱内扉が商品ローディング用の上部扉と、商品搬出口が開口した下部扉と、該下部扉の前面に配して前記搬出口を閉塞する商品搬出扉とに分けた分割構造の扉体としてなり、かつ上部扉，下部扉，商品搬出扉の裏面側にガスケットを布設するとともに、キャビネットの前部中段には前記上部扉と下部扉との間の境に介装して該扉のガスケットに当接する断面凸形の梁状仕切枠を設けて庫内の気密性を保持するように構成したものにおいて、前記上部扉の下端部を下方に延長し、その下端延長部の扉面を仕切枠、および下部扉の上縁一部の前面にオーバーラップさせ、鋼板でチャンネル状の骨組を構成した前記仕切枠の裏面に断熱材を被着したことを特徴とする自動販売機の断熱内扉
【発明の詳細な説明】
【０００１】
【発明の属する技術分野】
この発明はアイスクリームなどの冷凍商品を販売する自動販売機のキャビネットに装備した断熱内扉に関する。
【０００２】
【従来の技術】
まず、頭記した自動販売機の全体構成を図５に示す。図において、１は断熱筐体として構築したキャビネット、２は前面外扉、３は商品取出口、４はキャビネット１の庫内に収設した商品収納ラック（例えばスパイラル式の商品収納ラック）、５は商品搬出シュータ、６は庫内底部に配した冷却器（冷凍機のエバポレータ）、７は庫内ファン、８はキャビネット１のベース側に搭載した冷凍機のコンデンシングユニットであり、キャビネット１の庫内前面を覆って前面外扉２との間には断熱内扉９が装備されている。
【０００３】
ここで、断熱内扉９は商品収納ラック４に商品を補給する際に開放する商品ローディング用の上部扉１０と、前記シュータ５と商品取出口３との間を連係する商品搬出口１１ａが開口した下部扉１１とに上下二分割され、さらに下部扉１１の前方には商品搬出口１１ａを閉塞する小形の商品搬出扉１２を備えた分割構造の扉としてなる。また、キャビネット１の前面中段位置には前記の上部扉１０の下縁と下部扉１１の上縁との境目に介装した通称“下部パネル”と呼ばれる断面凸形（前方に向けて凸形）の梁状仕切枠１３を備えている。そして、上部扉１０，下部扉１１，および商品搬出扉１２の各扉には、その裏面側にガスケット１０ａ，１１ｂ，１２ａを布設し、扉を閉じた状態で前記ガスケットを相手側部材に密着させてキャビネット本体１の庫内を気密に保持し、庫内冷気の漏出，および外気の庫内侵入を防ぐようにしている。なお、商品の販売動作ごとに開閉動作する商品搬出扉１２については、ガスケット１２ａにマグネット式ガスケットを採用して下部扉１１の扉板（鋼板）に吸着させるようにしており、商品販売時には図示されてない扉開閉機構により搬出扉１２開放位置に移動して商品搬出口１１ａを開放する。
【０００４】
かかる構成で、自動販売機の運転時にはキャビネット本体１の庫内が冷凍機により保冷され、商品収納ラック４に収納した商品１４が販売適温に冷蔵されている。そして、販売指令が与えられると、商品収納ラック４から下方に落下搬出した商品１４が矢印のようにシュータ５の上を滑り落ち、断熱扉の下部扉１１に開口した商品搬出口１１ａを通り抜けて商品取出口３の中に送出される。
【０００５】
一方、商品収納ラック４に商品１４を補給する場合には、前面外扉２を開放した状態で、断熱内扉９の下部扉１１は閉じたまま上部扉１０のみを開き、前方から庫内の商品収納ラック４へ商品をローディングするようにして庫内冷気の漏出をできるだけ抑えるようにしている。また、庫内の冷却ユニットなどを保守点検する場合には、前記下部扉１１を開放する。
【０００６】
ここで、販売商品がアイスクリームなどの冷凍食品である場合には、庫内の保冷温度が−２５℃前後であり、前記キャビネット１，断熱内扉９で庫内と庫外との間を遮熱している。
次に、前記した仕切枠１３，および下部扉１１の従来構造を図６，図７に示す。まず、図６において、仕切枠１３は庫内側に向く鋼板製の背板１３ａと、背板１３ａの前面に溶接して凸形のチャンネル状枠部を形成する前板１３ｂ，１３ｃとで骨組みを構成するとともに、該チャンネル枠部の凸部を挟んでその上下には先記した上部扉１０，下部扉１１のガスケット１０ａ，１１ａのガスケット座として機能するＬ字形の樹脂製化粧枠１３ｄ，１３ｅを組合せた上で、前記の各部材で囲まれた空間内に発泡樹脂などの断熱材１３ｆを充填し、さらに庫外側に面する前板１３ｂ，１３ｃの内側には結露発生を防ぐ防露ヒータ１３ｇを布設した構造になる。
【０００７】
また、図７において、下部扉１１は鋼板を板金加工した箱形の外枠１１ｃと、外枠１１ｃを貫通して扉中央部に開口した商品搬出口１１ａを囲んで商品通路を形成する樹脂製の周面壁１１ｄと、外枠１１ｃの内部に充填した断熱材１１ｄとからなり、庫内側に面する外枠１１ｃの裏面側にガスケット１１ｂ（クッション性のある断熱材）を被着し、庫外側に面する外枠１１ｃの内側に防露ヒータ１１ｅを布設した構成になる。
【０００８】
【発明が解決しようとする課題】
ところで、前記した断熱内扉，仕切枠の従来構造では断熱性能面で次記のような問題がある。
(1) 仕切枠１３は、上部扉１０，下部扉１１を閉じた際に受ける衝突荷重，および庫内／庫外の温度差に起因する応力に耐えるために、図６で述べたように鋼板で堅牢なチャンネル状の骨組を構成するとともに、その内壁面には防露ヒータを布設しており、さらにかつ上部扉１０，下部扉１１の開け，閉めに干渉しないように、断面を凸形としてそのチャンネル枠部の上下端面とこれに対向する上部扉１０の下縁，下部扉１１の上縁の間に遊び間隙を残すよにしている。そのために、
ａ）熱伝導率の高い鋼板の骨組が伝熱経路として、庫内への外気熱侵入量が増大する。
【０００９】
ｂ）図６で示すように扉側のガスケットに当接する仕切枠１３の上下端部（化粧枠部）の厚さｄは中央部分（チャンネル枠部）の厚さＤよりも薄くてこの部分の熱抵抗が小さく、かつその前面一部が上部扉１０，下部扉１１の端部と間の遊び間隙を通じて外気側に向いているため、この化粧枠部を熱貫流経路とする庫内への熱侵入量が大きくなる。
【００１０】
ｃ）防露ヒータ１３ｇにより仕切枠前面の結露防止が図れる反面、ヒータの発熱に伴う庫内への熱侵入量が増えるほか、消費電力も増加する。
(2) 一方、図７で示したように鋼板を板金加工してなる扉外枠１１ｃの内面に防露ヒータ１１ｅを布設し、外枠１１ｃを貫通して扉に開口した商品搬出口１１ａの通路を樹脂製の周壁１１ｄで形成した下部扉１１の従来構造では、商品搬出扉１２が閉じている状態でも、商品搬出口１１ａの空間を通じて庫内の冷気が扉前面側の外枠１１ｃに直接触れるため、先記した仕切枠１３と同様に、外枠１１ｃの鋼板を伝熱経路として庫内への外気熱侵入量が増大するほか、防露ヒータの発熱による庫内への熱侵入，消費電力も増加するといった問題がある。
【００１１】
この発明は上記の点に鑑みなされたものであり、従来の断熱内扉の構造に改良の手を加えて庫内への熱侵入を低減した遮熱性能の高い自動販売機の断熱内扉を提供することを目的とする。
【００１２】
【課題を解決するための手段】
上記目的を達成するために、この発明によれば、商品収納ラックを収設した断熱筐体としてなるキャビネットの庫内前面を覆って前面外扉の裏面側に配した断熱内扉で、該断熱内扉が商品ローディング用の上部扉と、商品搬出口が開口した下部扉と、該下部扉の前面に配して前記搬出口を閉塞する商品搬出扉とに分けた分割構造の扉体としてなり、かつ上部扉，下部扉，商品搬出扉の裏面側にガスケットを布設するとともに、キャビネットの前面には前記上部扉と下部扉との間の境には該扉のガスケットに当接する断面凸形の梁状仕切枠を介装して庫内の気密性を保持するよう構成したものにおいて、
前記上部扉の下端部を下方に延長し、その延長部の扉面を仕切枠、および下部扉の上縁一部の前面にオーバーラップさせ、鋼板でチャンネル状の骨組を構成した前記仕切枠の裏面に断熱材を被着したものとする。
上記構成により、断熱壁としてなる上部扉の下端延長部を仕切枠、下部扉の上縁部にオーバーラップさせた分だけ該部分における庫内／庫外間の伝熱抵抗が増し、これにより仕切枠を伝熱経路とする庫内への外気熱侵入量が低減する。また、仕切枠の裏面に被着された断熱材の層厚さ分だけ伝熱抵抗が増して庫内の冷気熱が仕切枠の背板に伝熱し難くなる。これにより、仕切枠を伝熱経路とする庫内／庫外間の熱貫流量が減少することに加えて、仕切枠の庫外側表面温度の低下も小さくなるので結露が発生し難くなって防露ヒータが必要なくなる。
【００１６】
【発明の実施の形態】
以下、この発明に係る実施の形態を図に基づいて説明する。なお、図１ないし図４において、図５ないし図７に対応する同一部材には同じ符号が付してある。
図１は、本願発明の断熱内扉９の構造に係る実施例を示すものである。この実施例においては、上下二分割構造になる断熱内扉９の上部扉１０について、その下端部を図示のように下方に延長して下端延長部１０ｂとなし、この下端延長部１０ｂの扉面を仕切枠１３、および下部扉１１の上縁一部の前面に重ねてオーバーラップさせるような構造になる。なお、仕切枠１３は厚さ寸法をその前端面が下部扉１１の扉前面と面一になるように設定しておき、上部扉１０を閉じた状態でその下端延長部１０ｂの扉面が仕切枠１３、下部扉１１の前面に重なり合うようにしている。
【００１７】
かかる構成により、上部扉１０の下端延長部１０ｂが仕切枠１３の凸部と上部扉，下部扉の端面との間の遊び間隙を前方から閉塞して外気と隔絶するほか、該下端延長部１０ｂが仕切枠１３の前面に重なり合って仕切枠１３を伝熱経路とする庫内／庫外間の伝熱抵抗を高め、これにより庫内への外気熱侵入量が低く抑えられる。
【００１８】
図２は本願発明に付随して実施される仕切枠１３の隙間の封止に係る実施例を示すものである。この実施例においては、仕切枠１３の凸部上下端面と上部扉１０の下端面、下部扉１１の上端面との間に形成した扉開閉の遊び間隙をスポンジなどのクッション性のある断熱材１５で封止している。この断熱材１５は、図示例では仕切枠１３に接着剤で固着されているが、上部扉１０の下縁、下部扉１１の上縁に沿って固着することもできる。
【００１９】
かかる構成により、上部扉１０，下部扉１１を閉じた状態では、前記の遊び間隙に外気が自由に出入することがなく、かつ仕切枠１３の骨組を構成している鋼板製前板１３ｂ，１３ｃ（図６参照）の表面積が断熱材１５で覆われた面域分だけ減少する。加えて、相手側扉のガスケットと接する仕切枠１３の肉薄段部の前面に断熱材１５が重なって該部における庫内／庫外間の伝熱抵抗が増加する。これにより仕切枠１３を伝熱経路とする庫内への外気熱侵入量が低減する。しかも、この封止断熱材１５はクッション性があって変形も自由であり、上部扉１０，下部扉１１の開け，閉めを阻害することもない。
【００２０】
図３は本願発明の仕切枠１３に関する構成に係る実施例を示すものである。この実施例においては、図６に示した従来構造と比べて、仕切枠１３の背板（鋼板）１３ａの庫内冷気と接する側の裏面側全面を覆って断熱材１３ｇが被着されている。なお、図示例では断熱材１３ｇとしなクッション性のある断熱材を使用し、その庫内側表面を例えば塩化ビニールのシート１３ｈで被覆している。
【００２１】
かかる構成により、仕切枠１３の断熱性が図６の従来構造と比べて高くなり、仕切枠を熱貫流して庫内に侵入する外気熱量が低減する。
図４は本願発明と共に実施される下部扉１１の商品搬出口１１ａに係る実施例を示すものである。この実施例においては、扉の外枠１１ｃが鋼板製になる下部扉１１に開口した商品搬出口１１ａの周面壁１１ｄを塩化ビニールなどの低熱伝導率の樹脂成形品で形成するとともに、該周面壁１１ｄの前端をフランジ状に広げて扉の前面側に延長し、この延長部１１ｅで商品搬出扉１２のガスケット１２ａが当接する外枠１１ｃのガスケット座面域
を被覆している。
【００２２】
かかる構成により、断熱材からなる商品搬出口１１ａの周面壁１１ｄの延長部１１ｅが扉前面側で商品搬出扉１２のガスケット１２ａと接する面域を覆っているので、商品搬出扉１２が閉じた状態では商品搬出口１１ａの内部空間を通じて庫内冷気が扉前面側の鋼板製外枠１１ｃに直接触れることがない。これにより、下部扉１１の庫外側表面温度の低下も小さくなって結露が発生し難くなるので防露ヒータが省略できるとともに、下部扉自身の断熱性能も向上して庫内への外気熱侵入量が減少する。
【００２３】
なお、商品搬出扉１２のガスケット１２ａにマグネット式ガスケットを採用する場合には、前記周面壁１１ｄの延長部１１ｅの肉厚を、マグネット式ガスケットの磁気吸着力を阻害しない厚さに設定するものとする。
【００２４】
【発明の効果】
以上述べたように、この発明の構成によれば、従来構造の断熱内扉と比べて断熱性能が向上し、断熱内扉を熱貫流して庫外から庫内に伝熱する外気熱侵入量を低減することができるほか、仕切枠に布設する防露ヒータも省略可能となり、これにより熱損失を抑えて自動販売機の庫内保冷に要する消費電力の節減化が図れる。
【図面の簡単な説明】
【図１】  この発明の断熱内扉の構造に係る実施例の構成断面図
【図２】  この発明に付随して実施される仕切枠の隙間の封止に係る実施例の構成断面図
【図３】  この発明の仕切枠に関する構成に係る実施例の構成断面図
【図４】  この発明と共に実施される下部扉の商品搬出口に係る実施例の構成断面図
【図５】  この発明の実施対象となる自動販売機の全体構成の略示断面図
【図６】  図５における仕切枠の従来構造を示す断面図
【図７】  図５における下部扉の従来構造を示す断面図
【図１】
0003695057.tif 000002
【図２】
0003695057.tif 000003
【図３】
0003695057.tif 000004
【図４】
0003695057.tif 000005
【図５】
0003695057.tif 000006
【図６】
0003695057.tif 000007
【図７】
0003695057.tif 000008